(57)【要約】【要  約】【課  題】  折り込み広告等の紙媒体による印刷広告に代えて広告主体側から受け取り者側へ適時にかつ迅速に広告情報を配信可能で、しかもこれを見た広告情報の受け取り者が簡便に情報をサーバへ送信することが可能な電子広告配信システムを提供する。  【解決手段】  広告主体（４）から依頼されたＱＲコード情報を含む広告情報を管理、蓄積する電子広告配信管理センター（１）と、インターネット（７）を介して配信されたＱＲコード情報を含む広告情報を電子的に表示する複数の電子広告表示手段（２）とを具備した電子広告配信システムであって、前記電子広告表示手段（２）を、そのディスプレイ装置（２ａ）に広告の実体内容表示を行う広告情報表示欄（３ａ）と、ＱＲコード表示欄（３ｃ）とを表示可能に構成してなる。【選択図】        図１
0003107777.tif 000002
【実用新案登録請求の範囲】
【請求項１】
広告主体から依頼されたＱＲコード情報を含む広告情報を管理、蓄積する電子広告配信管理センターと、インターネットを介して配信されたＱＲコード情報を含む広告情報を電子的に表示する複数の電子広告表示手段とを具備した電子広告配信システムであって、前記電子広告表示手段を、そのディスプレイ装置に広告の実体内容表示を行う広告情報表示欄と、ＱＲコード表示欄とを表示可能に構成してなることを特徴とする電子広告配信システム。
【考案の詳細な説明】
【技術分野】
【０００１】
本考案は、電子広告配信管理センターから複数の電子広告表示手段にＱＲコード情報を含む広告情報を配信し、電子広告表示手段によりＱＲコードを含む広告の内容表示を行う電子広告配信システムに関する。
【背景技術】
【０００２】
大企業による全国的もしくは都道府県単位のような大規模広告は、日刊紙、テレビ、ラジオによって伝えられることが多い。しかし近隣の商店、販売店またはデパート等による広告は、新聞販売網を利用する折り込み広告、個別に郵便受けに投入されるチラシ類または郵便によるダイレクトメール等、紙媒体による広告が広く利用されている。
【０００３】
このような紙媒体による広告は、原稿に所要のデザインを施して予め印刷をしておき、これを個別に配布するので、人件費が嵩み、さらに受け取り者側からすると有用な情報は一部であり、大部分の紙媒体は廃棄されるため、紙媒体の廃棄処理が大変となる。
【０００４】
そこで本考案者らは、車両のボディ、船舶、航空機等の移動体に広告表示装置を設置し、これに広告情報を電子的に発信して、広告する移動体広報システムを開示している（特許文献１）。
【特許文献１】特開２００２−６３３３１号公報
【考案の開示】
【考案が解決しようとする課題】
【０００５】
特許文献１に開示した移動体広報システムは、紙媒体を用いておらず、迅速に広告情報
を配信することができる。
【０００６】
しかしながら、特許文献１に開示した移動体広報システムは、これを見た広告情報の受け取り者が広告を依頼した広告主体側のサーバへ情報を送信するのが不便であった。
【０００７】
本考案は、上記従来技術の問題点を解消し、折り込み広告等の紙媒体による印刷広告に代えて広告主体側から受け取り者側へ適時にかつ迅速に広告を配信可能で、しかもこれを見た広告情報の受け取り者が広告を依頼した広告主体側のサーバへ情報を簡便に送信することが可能な電子広告配信システムを提供することを目的とする。
【課題を解決するための手段】
【０００８】
本考案は、広告主体から依頼されたＱＲコード情報を含む広告情報を管理、蓄積する電子広告配信管理センターと、インターネットを介して配信されたＱＲコード情報を含む広告情報を電子的に表示する複数の電子広告表示手段とを具備した電子広告配信システムであって、前記電子広告表示手段を、そのディスプレイ装置に広告の実体内容表示を行う広告情報表示欄と、ＱＲコード表示欄とを表示可能に構成してなることを特徴とする電子広告配信システムである。
【考案の効果】
【０００９】
本考案の電子広告配信システムによれば、折り込み広告等の紙媒体による印刷広告に比して、広告主体側から情報受け取り者側へ適時にかつ迅速に広告情報を配信することができ、しかもこれを見た広告情報の受け取り者が撮像可能な携帯情報端末により広告を依頼した広告主体側のサーバへ情報を簡便に送信することができる。
【考案を実施するための最良の形態】
【００１０】
本考案の実施の形態にかかる電子広告配信システムは、図１に示すような、広告主体４から依頼された広告情報を管理、蓄積する電子広告配信管理センター１と、インターネット７を介して配信された広告情報を電子的に表示する複数の電子広告表示手段２とを具備している。なお電子広告配信管理センター１には、広告代理業者５を介して広告情報の依頼が行われる場合もあり、広告代理業者５も広告主体４に入る。またここで、電子広告配信管理センター１に、ＱＲコード表示欄３ｃにＱＲコードの表示を行って欲しい旨、依頼するものも広告主体４に含むものとする。図１中、インターネット７に接続されている広告主体側のサーバ８は、このＱＲコードの表示を行って欲しい旨、依頼した広告主体の所有するコンピュータとする。
【００１１】
また電子広告表示手段２は、例えば画面の大きさが５０インチ（対角線の長さ）のディスプレイ装置２ａとディスプレイコントローラ２ｂを備えている。そしてこのディスプレイコントローラ２ｂは、管理用コンピュータ１１に設けた受配信用通信手段１２とインターネット７を介して情報の授受を行う通信機能と、電子広告配信管理センター１から配信された情報を保持する記憶機能と、該保持した情報をディスプレイ装置２ａに表示する表示機能とを兼ね備えている。
【００１２】
ディスプレイ装置２ａの画面中、３ａは広告情報表示欄、３ｂは検索欄、３ｃはＱＲコード表示欄をそれぞれ示す。これらの欄には、ディスプレイコントローラ２ｂにより配信された情報の表示が行われる。この電子広告表示手段２は、図示しないペン入力手段を用いて、広告情報表示欄３ａに表示する広告情報を選択操作することができるようにしたり、ディスプレイ装置２ａをタッチパネル式として同様なことを行うものにしてもよい。
【００１３】
このような電子広告表示手段２は、個人が室内で見るというよりは、不特定多数の情報受け取り者が見ることを想定しており、例えば通行人が多い建築物の壁面や多くの人が集まる待合わせ場所などにディスプレイ装置２ａを配置するのが好ましい形態である。
【００１４】
その際ディスプレイ装置２ａについては、その設置場所とその画面の大きさを、広告情報の受け取り者が広告情報を認識でき、かつＱＲコード表示欄３ｃに表示される２次元コード、すなわち水平方向と垂直方向に情報を持つコードをカメラ付きの携帯電話６などの携帯情報端末により撮像し、２次元コードから情報を読みとることができるようにすることが肝要である。
【００１５】
勿論、本考案の実施の形態にかかる電子広告配信システムにおいては、電子広告表示手段２の設置場所は、前記建築物の壁面や待合わせ場所に限定されない。ホテルのロビー等に電子広告表示手段２を設置することも可能である。
【００１６】
ここで、電子広告表示手段２は、少なくとも広告の実体内容表示を行う広告情報表示欄３ａとＱＲコードの表示を行うＱＲコード表示欄３ｃとの表示を行うように構成してなる。検索欄３ｂは、電子広告表示手段２を設置する場所の都合により設けなくともよい。ディスプレイ装置２ａとしては、大画面とすることが可能なブラウン管内蔵型ディスプレイ以外のディスプレイが好適に用いることができる。
【００１７】
電子広告表示手段２により各欄で表示を行うＱＲコードを含む広告情報は、電子広告配信管理センター１でタグ言語または種種のスクリプト言語、その他の言語を用いて加工された情報であって、これを受け取った電子広告表示手段２でこれを解釈して表示するか、あるいは電子広告配信管理センター１から送ってくる広告情報を、広告の実体内容の表示とこれに対応する検索指標とに分けたものとし、他方、電子広告表示手段２はこれに備えたソフトウエアにより、前者を広告情報表示欄３ａに表示し、後者を検索欄３ｂに表示するように構成することもできる。前記検索指標は、広告の実体内容を表すキーワードとすることができる。
【００１８】
広告情報表示欄３ａに表示する広告の実体内容とは、広告主体４から依頼された、販売対象の商品や提供対象のサービスに関する情報、および販売者や広告主体に関する情報である。商品やサービスに関する情報は、商品やサービスの種類、外観、品質、グレード、対価、販売または提供の時期等に関するものであり、販売者や広告主体に関する情報は、その名称、ロゴマーク、屋号、地図を含む所在地、電話番号、ＦＡＸ番号、ＵＲＬアドレス、メールアドレス等である。広告情報表示欄３ａに表示する情報は、文字情報の他にイメージ情報も含み、更には動画も利用可能である。
【００１９】
一方、ＱＲコード表示欄３ｃに表示するＱＲコードとは、紙などに印刷されて使用されているＱＲコードと同様の２次元コードであり、英数字で４,２９６、数字で７,０８９、漢字で１，８１７文字に相当する情報を含む。この２次元コードは、カメラ付きの携帯電話６内に取り込むことにより、解読することができる。
【００２０】
図１中、９は携帯電話６内に取り込んだＱＲコード画像を示す。
【００２１】
したがって、ＵＲＬアドレスまたは電子メールアドレスが少なくとも記録されたＱＲコードを広告情報の受け取り者がカメラ付き携帯電話６などの携帯情報端末により撮像し、携帯電話６内に取り込むことにより、それ以降、紙媒体に印刷されて使用されているＱＲコードをカメラ付き携帯電話６で撮像した場合と同様な手順により、ＵＲＬアドレスまたは電子メールアドレスをキー入力せずに、ＱＲコードの表示を依頼した広告主体側のサーバ８にアクセスすることができる。
【００２２】
例えば図２に例示した求職者登録のためのＱＲコードによれば、これをカメラ付き携帯電話６で撮像して携帯電話６内に取り込むことにより、ＱＲコードの表示を電子広告配信管理センター１に依頼した広告主体が所有する広告主体側のサーバ８にそのアドレスをキー入力せずに、簡単にアクセスすることができ、求職者登録を行うことができる。なおＱＲコードの表示は、静止画像とするのが、カメラ付き携帯電話６で撮像して２次元コードからなるＱＲコード情報を確実に解読することができるので好ましい。
【００２３】
ただし、ＱＲコード表示欄３ｃに表示するＱＲコードは、一つに限定されず、電子広告表示手段２の利用形態により複数とすることもできる。
【００２４】
また電子広告配信管理センター１は、広告主体４から依頼を受けた広告情報をＱＲコード情報と共にインターネット７を介して複数の電子広告表示手段２に配信するように構成してなる。電子広告配信管理センター１の管理用コンピュータ１１には、広告主体４から直接にまたは広告代理業者５を介して間接的に受けた依頼広告情報が、電子広告表示手段２で表示し得るように加工して蓄積されている。管理用コンピュータ１１は、図１に示したように、演算処理を行う演算部１１ａと、記憶部１１ｂと、入出力部１１ｃとを有し、更に電子広告表示手段２に対してＱＲコードを含む広告情報を配信するため、受配信用通信手段１２を備えている。入出力部は、電子広告配信管理センター１の管理者が管理用コンピュータ１１を操作するためのキーボードなどである。
【００２５】
記憶部１１ｂは、プログラム領域１１ｂ１、データベース領域１１ｂ２および表示用データ領域１１ｂ３からなり、表示を行うように依頼されたＱＲコード情報と広告情報はデータベース領域１１ｂ２に管理、格納されている。
【００２６】
本考案の実施の形態にかかる電子広告配信システムで扱うＱＲコード情報を含む広告情報は、それらを依頼する広告主体４によって年間を通じて、またはそれより短期間で、もしくは不定期の特売日を指定して、配信すべく依頼を受けた商品やサービスに関する情報である。なおＱＲコード情報を含む広告情報はデータベース領域１１ｂ２に、広告主体４に関するものと、実体内容に関するものに区分して管理、保存するのが適当である。
【００２７】
以上説明した本考案の実施の形態にかかる電子広告配信システムによれば、インターネット７を介して広告主体４側から受け取り者側へ適時にかつ迅速にＱＲコード情報を含む広告情報を配信することができ、しかもディスプレイ装置２ａのＱＲコード表示欄３ｃにＱＲコードの表示を行うようにしたから、これを見た広告情報の受け取り者がカメラ付き携帯電話６などのＱＲコードを撮像可能な携帯情報端末を介して、アドレスをキー入力せずに、広告を依頼した広告主体４側のサーバへアクセスすることができ、情報を簡便に送信することがことができる。
【図面の簡単な説明】
【００２８】
【図１】好適な電子広告配信システムの構成を示す概略図である。
【図２】ＱＲコードの説明図である。
【符号の説明】
【００２９】
１  電子広告配信管理センター
２  電子広告表示手段
２ａ  ディスプレイ装置
２ｂ  ディスプレイコントローラ
３ａ  広告情報表示欄
３ｂ  検索欄
３ｃ  ＱＲコード表示欄
４  広告主体
５  広告代理業者
６  携帯電話（携帯情報端末）
７  インターネット
８  広告主体側のサーバ
９  ＱＲコード画像
１１  管理用コンピュータ
１１ａ  演算部
１１ｂ  記憶部
１１ｂ１  プログラム領域
１１ｂ２  データベース領域
１１ｂ３  表示用データ領域
１１ｃ  入出力部
１２  受配信用通信手段
【図１】
0003107777.tif 000003
【図２】
0003107777.tif 000004